(57)【要約】【課題】  地球温暖化抑止のためにクリーンな電力を提供する。経済的な電力を提供する。電力を安定して供給する。昼夜電力需要負荷の平準化を提供する。【解決手段】    電力源に太陽光熱と排熱と水素と又は天然ガスを使用して作動流体に混合媒体を使用して稼動して発電するので、クリーンな発電を提供する。無料で有る太陽光熱と排熱を電力源に用いて、又低コスト設備の太陽光熱交換器３を用いているので又複合発電の相乗効果で経済的な発電コストを提供する。夜間、雨天時等は、水素又は排熱、天然ガスを電力源として着火して、水素天然ガス燃焼熱交換器７を加熱して作動流体である混合媒体を連鎖加熱して電力源を得るのので、夜間、天候に影響されること無く安定して電力を供給出来る。深夜余剰電力で製氷した氷で昼間排混合媒体ガスの急冷に用いてタービン４の回転を早めて発電能力の増大に転化することで、昼夜電力需要負荷の平準化を提供する。【選択図】図１
2008280987.tif 000002
【特許請求の範囲】
【請求項１】
アンモニアと水の混合液（混合媒体）を作動流体として流通パイプ（１）に封入して、
給混合媒体ポンプ（２）を駆動して、混合媒体を流通パイプ（１）を通じて太陽光熱交換器（３）内に送入する、太陽光熱交換器（３）内に送入した混合媒体は、太陽光熱によって加熱され混合媒体ガス化する、流通パイプ（１）を通じて混合媒体ガスの放出圧力でタービン（４）を駆動して同軸に有る発電機（５）でタービン（４）の回転駆動を電気に変換する、発電後の混合媒体ガスは流通パイプ（１）を通じて氷熱交換器（６）内に送入する、氷熱交換器（６）に内蔵する深夜余剰電力で製氷した氷の冷却によって混合媒体ガスは液化する、混合媒体液は流通パイプ（１）を通じて給混合媒体ポンプ（２）へ循環することを特徴とする混合媒体発電プラント。
【請求項２】
請求項１記載において、
混合媒体発電プラントの流通パイプ（１）に、水素天然ガス燃焼熱交換器（７）を連結して、夜間又は雨天等の不日射時は、水素天然ガス燃焼熱交換器（７）をバーナー（１３）部の水素または天然ガスに着火して加熱する、混合媒体液を水素天然ガス燃焼熱交換器（７）内に送入して加熱してガス化する、加熱した混合媒体ガス１６を流通パイプ（１）を通じて放出して、タービン（４）を回転してその回転を発電機（５）で電機に変換する、発電後の混合媒体ガス１６は、流通パイプ（１）を通じて氷熱交換器（６）内に送入して冷却して、駆動している給混合媒体ポンプ（２）と太陽光熱交換器（３）内を流通して水素天然ガス燃焼熱交換器（７）内へ循環する、ことを特徴とする複合熱源混合媒体発電プラント。、
【請求項３】
請求項１、２、記載において、
複合熱源混合媒体発電プラントの水素天然ガス燃焼熱交換器７に、発電機１２（天然ガスコージェネシステム、又は燃料電池発電）を連結して、
発電機１２の発電後の排熱を水素天然ガス燃焼熱交換器７内に送入して、その排熱で混合媒体を加熱して、混合媒体発電の電力源として活用する、水素天然ガス燃焼熱交換器７は、水素又は天然ガスの燃焼火気による加熱と発電機１２の排熱による加熱の両加熱を取り入れてその熱で作動流体を加熱する機能を有することを特徴とする複合熱源混合媒体複合発電プラント。
【発明の詳細な説明】
【技術分野】
【０００１】本発明は、氷冷却法を用いた混合媒体タービン発電で、太陽光熱と排熱と水素又は天然ガスの三者を熱源として発電機を連結して複合発電を構成する、複合熱源複合発電プラントに関する。
【背景技術】
【０００２】従来混合媒体を作動流体として応用した発電テストプラント（例、海洋温度差発電）は有るが商業発電として実用化されていない。
太陽光を化学反応して電機に変換する、太陽電池発電が普及している。
天然ガス、コージェネシステムは、発電と熱エネルギーの両者が得られエネルギー効率が優れて、ＣＯ２の排出が低率で将来が期待されている。
水素と酸素を化学反応して電機と高熱を得る燃料電池発電はクリーン発電である。
特顔２００４−１９８６９２
【発明の開示】
【発明が解決しょうとする課題】
【０００３】太陽電池発電は太陽電池に使用されているシリコンが高価であるためコスト高となっているため太陽電池購入に政府が補助金を給付けしければ普及しにくい状況にあった、又、夜間、雨天時にはほとんど発電しない、単独では発電能力が弱小であるという課題が有る。
【０００４】海洋温度差発電は発電能力が低いため又設備投資に多額を必要とするため結果的にはコスト高となるため商業発電として実用化するには、コストダウンが課題である。
水素と酸素を化学反応して、電機と高熱を得る燃料電池発電はクリーンな発電であるがシステムコスト高が課題である。
【０００５】本発明は、混合媒体発電の発電後の排混合媒体ガスを低温の氷で冷却することにより排混合媒体ガスの流通速度をスピードアップしてタービンの回転数を増して発電機の発電能力が増大することと昼夜電力需要負荷の平準化を目的とする、さらに、混合媒体発電の電力熱源を太陽光熱と水素又は天然ガスと複合化することで合理性と夜間、雨天時にも電力を安定供給することと、地球温暖化問題に貢献するために、クリーンな電力を、無料の太陽光熱と排熱の活用で経済的に提供することを目的とする。
本発明は、上記課題、目的を解消達成するためになされたものである。
【課題を解決するための手段】
【０００６】上記目的を達成するために、本発明の混合媒体発電においては、氷熱交換器６内に深夜余剰電力で製氷した氷を貯蔵して、その貯蔵していた氷で発電後の排混合媒体ガスを急冷して排混合媒体ガスの流通速度をスピードアップしてタービン４の回転数を増してそのタービン４の回転を発電機５で電気に変換して発電能力を増大する。
【０００７】混合媒体発電の太陽光熱交換器３の次工程に水素又は天然ガスを熱源とした水素天然ガス燃焼熱交換器７を備えて、夜間、雨天時に、水素天然ガス燃焼熱交換器７を稼動して電力の安定供給の目的を果たす。
又、混合媒体発電と発電機１２の複合発電化の相乗効果で合理的で発電能力の高いクリーンな複合熱源混合媒体複合発電プラントを得る。
【発明の効果】
【０００８】
【０００９】無料でクリーンな太陽光と排熱を電力源としているので経済性を提供する。
ＣＯ２の排出が極めて低率なため地球温暖化抑止に貢献する。
電力熱源を水素天然ガス燃焼熱交換器７を備えて複合化して、天候、夜間に影響されることなく、電力を２４時安定して供給することが出来る。
排ガスの冷却に氷を用いることにより、電力の増大を得る、又深夜電力で製氷した氷で昼間電力の増大に転用することで昼夜電力需要負荷の平準化を提供する。
【実施例１】
【００１０】発明の実施の形態を実施例にもとずき図面を参照して説明する。
図１において、アンモニア、と水、を混合した混合液を作動流体（混合媒体）として流通パイプ１に封入して、給混合媒体ポンプ２を駆動して、流通パイプ１を通じて混合媒体液を太陽光熱交換器３内に送入する、太陽熱で加熱されて混合媒体液は太陽光熱交換器３内で一次加熱して混合媒体ガス化する、さらにその混合媒体ガスを水素天然ガス燃焼熱交換器７内で水素又は天然ガスを燃焼した火気熱又は発電機１２の排熱で二次加熱する、その混合媒体ガスの放出圧力で流通パイプ１を通じてタービン４を駆動してタービン４の回転駆動を同軸に有る発電機５で電気に変換する。
発電後の排混合媒体ガスは、流通パイプ１を通じて、氷熱交換器６内に送入して、氷熱交換器６内の深夜余剰電力で製氷して貯蔵していた氷で冷却され混合媒体液化されて流通パイプ１を通じて、駆動する給混合媒体ポンプ２へ継続循環して継続発電する、上記複合熱源混合媒体複合発電プラントの水素天然ガス燃焼熱交換器７に、発電機１２（天然ガスコージェネシステム、又は燃料電池発電）を連結して、発電機１２の排熱を水素天然ガス燃焼熱交換器７内に送入して混合媒体発電の電力源に活用して増電する。
水素天然ガス燃焼熱交換器７は、水素又は天然ガスの燃焼火気による加熱と、排熱による加熱の両加熱を取り入れてその熱で作動流体（混合媒体）を加熱する機能を有する。
【図面の簡単な説明】
【００１１】
【図１】本発明の立体図である。。
【図２】水素天然ガス燃焼熱交換器の縦断面と発電機とバーナーの側面図である。
【符号の説明】
１      流通パイプ
２      給混合媒体ポンプ
３      太陽光熱交換器
４      タービン
５      発電機
６      氷熱交換器
７      水素天然ガス燃焼熱交換器
８      給水素天然ガスパイプ
９      排ガスパイプ
１０    給水パイプ
１１    排水パイプ
１２    発電機
１８    バーナー
１４    給排気ガスパイプ
１５    火炎
１６    混合媒体ガス
【図１】
2008280987.tif 000003
【図２】
2008280987.tif 000004
【手続補正書】
【提出日】平成19年5月31日(2007.5.31)
【手続補正１】
【補正対象書類名】図面
【補正対象項目名】図２
【補正方法】変更
【補正の内容】
【図２】
2008280987.tif 000005